(57)【要約】      （修正有）【課題】新たに追加されたＡＶ機器等に対しても遠隔操作画面上で操作入力される遠隔操作情報に基づいて遠隔制御されるＡＶ機器等から映像情報を受信して映像を表示できるようにする。【解決手段】表示情報を含むリモコン構築データＤrcの配信をデータベースへ要求するためのユーザの指示を入力するキー入力部３２９、タッチパネル３５１と、これによって配信要求されたリモコン構築データＤrcをデータベースから受信する受信処理部１２２Ｒと、ここに受信されたリモコン構築データＤrcを格納するＥＥＰＲＯＭ３０４と、各種のＡＶ機器を遠隔的に操作するために、遠隔操作データＤ２３をベースステーションに送信する送信処理部１２２Ｓとを備え、受信処理部１２２Ｒは、遠隔操作データＤ２３によって遠隔制御されるＡＶ機器からベースステーションを介して映像情報を受信し、液晶表示部１２５は映像情報を表示するようになる。【選択図】図５
2006345543.tif 000002
【特許請求の範囲】
【請求項１】
映像情報を供給するための映像情報提供装置からの映像情報を、当該映像情報提供装置を遠隔制御することが可能な表示制御装置を介して受信し、当該映像情報に基づいて映像表示をする映像表示装置において、
前記映像情報を表示する表示部と、
前記表示部に遠隔操作画面を表示するための表示情報、及び、当該遠隔操作画面上の操作に対応した遠隔操作情報を含む前記映像情報提供装置に関連した遠隔制御構築データの配信を外部データベースへ要求するためのユーザの指示を入力する入力部と、
前記入力部によって配信要求された前記遠隔制御構築データを前記外部データベースから受信する受信部と、
前記受信部によって受信された前記遠隔制御構築データを格納する記憶部と、
前記映像情報提供装置を遠隔的に操作するために、前記遠隔操作情報を前記表示制御装置に送信する送信部とを備え、
前記受信部は、
前記遠隔操作情報によって遠隔制御される前記映像情報提供装置から前記表示制御装置を介して映像情報を受信することを特徴とする映像表示装置。
【請求項２】
映像情報を供給するための映像情報提供装置からの映像情報を、当該映像情報提供装置を遠隔制御することが可能な表示制御装置を介して受信し、当該映像情報に基づいて映像表示をする映像表示装置の制御方法において、
遠隔操作画面を表示するための表示情報、及び、当該遠隔操作画面上の操作に対応した遠隔操作情報を含む前記映像情報提供装置に関連した遠隔制御構築データの配信を外部データベースへ要求するためのユーザの指示を入力するステップと、
配信要求された前記遠隔制御構築データを前記外部データベースから受信するステップと、
受信された前記遠隔制御構築データを格納するステップと、
前記映像情報提供装置を遠隔的に操作するために、前記遠隔操作情報を前記表示制御装置に送信するステップと、
前記遠隔操作情報によって遠隔制御される前記映像情報提供装置から前記表示制御装置を介して映像情報を受信するステップと、
受信された前記映像情報を表示するステップとを有することを特徴とする映像表示装置の制御方法。
【請求項３】
映像情報を供給するための映像情報提供装置からの映像情報を、当該映像情報提供装置を遠隔制御することが可能な表示制御装置を介して受信し、当該映像情報に基づいて映像表示をする映像表示装置の制御プログラムにおいて、
遠隔操作画面を表示するための表示情報、及び、当該遠隔操作画面上の操作に対応した遠隔操作情報を含む前記映像情報提供装置に関連した遠隔制御構築データの配信を外部データベースへ要求するためのユーザの指示を入力するステップと、
配信要求された前記遠隔制御構築データを前記外部データベースから受信するステップと、
受信された前記遠隔制御構築データを格納するステップと、
前記映像情報提供装置を遠隔的に操作するために、前記遠隔操作情報を前記表示制御装置に送信するステップと、
前記遠隔操作情報によって遠隔制御される前記映像情報提供装置から前記表示制御装置を介して映像情報を受信するステップと、
受信された前記映像情報を表示するステップとを有することを特徴とする映像表示装置の制御プログラム。
【請求項４】
映像情報を供給するための映像情報提供装置からの映像情報を、当該映像情報提供装置を遠隔制御することが可能な表示制御装置を介して受信し、当該映像情報に基づいて映像表示をする映像表示装置の制御プログラムを記述した記録媒体において、
遠隔操作画面を表示するための表示情報、及び、当該遠隔操作画面上の操作に対応した遠隔操作情報を含む前記映像情報提供装置に関連した遠隔制御構築データの配信を外部データベースへ要求するためのユーザの指示を入力するステップと、
配信要求された前記遠隔制御構築データを前記外部データベースから受信するステップと、
受信された前記遠隔制御構築データを格納するステップと、
前記映像情報提供装置を遠隔的に操作するために、前記遠隔操作情報を前記表示制御装置に送信するステップと、
前記遠隔操作情報によって遠隔制御される前記映像情報提供装置から前記表示制御装置を介して映像情報を受信するステップと、
受信された前記映像情報を表示するステップとを有するプログラムを記述して成ることを特徴とする記録媒体。
【発明の詳細な説明】
【技術分野】
【０００１】
本発明は、デジタルＣＳ／ＢＳチューナーや、ＤＶＤプレーヤ、ＣＤ／ＭＤプレーヤ等のオーディオビデオ機器を集中遠隔操作可能な多機能リモコンサービスシステム等に適用可能な映像表示装置、映像表示方法、プログラム及び記録媒体に関するものである。
【背景技術】
【０００２】
近年、デジタル情報技術が発達し、デジタルＣＳ／ＢＳチューナーや、ＤＶＤプレーヤ、ＣＤ／ＭＤプレーヤ等のオーディオビデオ機器に対してリモコンで遠隔操作可能なものが多くなってきた。リモコンで遠隔操作可能なものにはオーディオビデオ機器の他にエアコンやクーラー等のオーディオビデオ機器が挙げられる。この種のリモコンは、各種オーディオビデオ機器毎に取り揃えられ、各種オーディオビデオ機器毎にリモコン操作可能なようになされている。
【０００３】
一方で、インターネットの発達によって各種のネットサービスを受けることができるようになってきた。この種のネットサービスを受けるためには、一般に、予め情報提供事業者（以下で情報配信系ともいう）にユーザを登録したり、サービス提供時に個人認証や、ダウンロード終了時等に決済処理がなされる。この情報提供事業者に対して、ユーザの氏名、住所、生年月日、銀行口座番号等を登録（ユーザ登録）してＩＤ番号を取得し、以後、ネットサービスの提供を受ける場合は、そのＩＤ番号を入力して認証するようになされる。
【０００４】
【特許文献１】特開平  ０９−２９８７７５号公報（第３頁  図１２）
【特許文献２】特開２００２−０７８０３６号公報（第４頁  図１）
【発明の開示】
【発明が解決しようとする課題】
【０００５】
ところで、従来例に係るリモコン操作可能なオーディオビデオ機器によれば、各種オーディオビデオ機器毎にリモコンが取り揃えられているので、新たにオーディオビデオ機器が追加されると、オーディオビデオ機器の取り扱いに慣れたユーザであれば良いが、その取り扱いに慣れないユーザは、どのリモコンがどのオーディオビデオ機器に対応しているかの判断にまごつく場合が予想される。
【０００６】
従って、各家庭内でオーディオビデオ機器が増えてくると、リモコンの数がやたら増えて慣れないユーザにとって扱いづらいという問題がある。因みにリモコンをソフトウェア（以下で情報処理系ともいう）で表現して一元化する方法が考えられるが、アプリケーションの管理が複雑になることが予想される。
【０００７】
そこで、この発明はこのような従来の課題を解決したものであって、新たに追加された映像情報提供装置に対しても遠隔操作画面上で操作入力される遠隔操作情報に基づいて遠隔制御される映像情報提供装置から映像情報を受信して映像を表示できるようにした映像表示装置、その制御方法、その制御プログラム及び記録媒体を提供することを目的とする。
【課題を解決するための手段】
【０００８】
上述した課題は、映像情報を供給するための映像情報提供装置からの映像情報を、当該映像情報提供装置を遠隔制御することが可能な表示制御装置を介して受信し、当該映像情報に基づいて映像表示をする映像表示装置において、映像情報を表示する表示部と、この表示部に遠隔操作画面を表示するための表示情報、及び、当該遠隔操作画面上の操作に対応した遠隔操作情報を含む映像情報提供装置に関連した遠隔制御構築データの配信を外部データベースへ要求するためのユーザの指示を入力する入力部と、この入力部によって配信要求された遠隔制御構築データを外部データベースから受信する受信部と、この受信部によって受信された遠隔制御構築データを格納する記憶部と、映像情報提供装置を遠隔的に操作するために、遠隔操作情報を表示制御装置に送信する送信部とを備え、受信部は、遠隔操作情報によって遠隔制御される映像情報提供装置から表示制御装置を介して映像情報を受信することを特徴とする映像表示装置によって解決される。
【０００９】
本発明に係る映像表示装置によれば、映像情報提供装置からの映像情報を表示制御装置を介して受信し、当該映像情報に基づいて映像表示をする場合に、入力部は、遠隔操作画面を表示するための表示情報、及び、映像情報提供装置に関連した遠隔制御構築データの配信を外部データベースへ要求するためのユーザの指示を入力する。受信部は、入力部によって配信要求された遠隔制御構築データを外部データベースから受信する  。記憶部は受信部によって受信された遠隔制御構築データを格納する。これを前提にして、送信部は、映像情報提供装置を遠隔的に操作するために、遠隔操作情報を表示制御装置に送信する。受信部は、遠隔操作情報によって遠隔制御される映像情報提供装置から表示制御装置を介して映像情報を受信する。表示部は、受信部によって受信された映像情報を表示するようになる。
【００１０】
従って、外部データベースへ配信要求して取得した遠隔制御構築データ及び遠隔操作画面上の操作に対応して得た遠隔操作情報に基づいて遠隔制御される映像情報提供装置から映像情報を受信して映像を表示できるようになる。これにより、新たに追加された映像情報提供装置に対しても遠隔操作画面上で操作入力される遠隔操作情報に基づいて遠隔制御される映像情報提供装置から映像情報を受信して映像を表示できるようになる。
【００１１】
本発明に係る映像表示装置の制御方法は、映像情報を供給するための映像情報提供装置からの映像情報を、当該映像情報提供装置を遠隔制御することが可能な表示制御装置を介して受信し、当該映像情報に基づいて映像表示をする映像表示装置の制御方法において、遠隔操作画面を表示するための表示情報、及び、当該遠隔操作画面上の操作に対応した遠隔操作情報を含む映像情報提供装置に関連した遠隔制御構築データの配信を外部データベースへ要求するためのユーザの指示を入力するステップと、配信要求された遠隔制御構築データを外部データベースから受信するステップと、受信された遠隔制御構築データを格納するステップと、映像情報提供装置を遠隔的に操作するために、遠隔操作情報を表示制御装置に送信するステップと、遠隔操作情報によって遠隔制御される映像情報提供装置から表示制御装置を介して映像情報を受信するステップと、受信された映像情報を表示するステップとを有することを特徴とするものである。
【００１２】
本発明に係る映像表示装置の制御方法によれば、外部データベースへ配信要求して取得した遠隔制御構築データ及び遠隔操作画面上の操作に対応して得た遠隔操作情報に基づいて遠隔制御される映像情報提供装置から映像情報を受信して映像を表示できるようになる。これにより、新たに追加された映像情報提供装置に対しても遠隔操作画面上で操作入力される遠隔操作情報に基づいて遠隔制御される映像情報提供装置から映像情報を受信して映像を表示できるようになる。
【００１３】
本発明に係る映像表示装置の制御プログラムは、映像情報を供給するための映像情報提供装置からの映像情報を、当該映像情報提供装置を遠隔制御することが可能な表示制御装置を介して受信し、当該映像情報に基づいて映像表示をする映像表示装置の制御プログラムにおいて、遠隔操作画面を表示するための表示情報、及び、当該遠隔操作画面上の操作に対応した遠隔操作情報を含む映像情報提供装置に関連した遠隔制御構築データの配信を外部データベースへ要求するためのユーザの指示を入力するステップと、配信要求された遠隔制御構築データを外部データベースから受信するステップと、受信された遠隔制御構築データを格納するステップと、映像情報提供装置を遠隔的に操作するために、遠隔操作情報を表示制御装置に送信するステップと、遠隔操作情報によって遠隔制御される映像情報提供装置から表示制御装置を介して映像情報を受信するステップと、受信された映像情報を表示するステップとを有することを特徴とするものである。
【００１４】
本発明に係る映像表示装置の制御プログラムによれば、新たに追加された映像情報提供装置に対する遠隔制御構築データも容易に表示制御装置を介して外部データベースから取得することができる。しかも、新たに追加された映像情報提供装置に対しても遠隔操作画面上で操作入力される遠隔操作情報に基づいて遠隔制御される映像情報提供装置から映像情報を受信して映像を表示できるようになる。
【００１５】
本発明に係る記録媒体は、映像情報を供給するための映像情報提供装置からの映像情報を、当該映像情報提供装置を遠隔制御することが可能な表示制御装置を介して受信し、当該映像情報に基づいて映像表示をする映像表示装置の制御プログラムを記述した記録媒体において、遠隔操作画面を表示するための表示情報、及び、当該遠隔操作画面上の操作に対応した遠隔操作情報を含む映像情報提供装置に関連した遠隔制御構築データの配信を外部データベースへ要求するためのユーザの指示を入力するステップと、配信要求された遠隔制御構築データを外部データベースから受信するステップと、受信された遠隔制御構築データを格納するステップと、映像情報提供装置を遠隔的に操作するために、遠隔操作情報を表示制御装置に送信するステップと、遠隔操作情報によって遠隔制御される映像情報提供装置から表示制御装置を介して映像情報を受信するステップと、受信された映像情報を表示するステップとを有するプログラムを記述して成ることを特徴とするものである。
【００１６】
本発明に係る記録媒体によれば、新たに追加された映像情報提供装置に対する遠隔制御構築データも容易に表示制御装置を介して外部データベースから取得することができる。しかも、新たに追加された映像情報提供装置に対しても遠隔操作画面上で操作入力される遠隔操作情報に基づいて遠隔制御される映像情報提供装置から映像情報を受信して映像を表示できるようになる。
【発明の効果】
【００１７】
本発明に係る映像表示装置及びその制御方法によれば、映像情報提供装置を遠隔的に操作するために受信部及び送信部を備え、ユーザの指示入力によって、配信要求された遠隔制御構築データを外部データベースから受信し、遠隔操作情報を表示制御装置に送信すると、遠隔操作情報によって遠隔制御される映像情報提供装置から表示制御装置を介して映像情報を受信するようになる。
【００１８】
この構成によって、外部データベースへ配信要求して得た遠隔制御構築データ及び遠隔操作画面上の操作に対応して得た遠隔操作情報に基づいて遠隔制御される映像情報提供装置から映像情報を受信して映像を表示できるようになる。従って、新たに追加された映像情報提供装置に対しても遠隔操作画面上で操作入力される遠隔操作情報に基づいて遠隔制御される映像情報提供装置から映像情報を受信して映像を表示できるようになる。
【００１９】
本発明に係る映像表示装置の制御プログラム及び記録媒体によれば、遠隔操作画面を表示するための表示情報、及び、当該遠隔操作画面上の操作に対応した遠隔操作情報を含む映像情報提供装置に関連した遠隔制御構築データの配信を外部データベースへ要求するためのユーザの指示を入力するステップと、配信要求された遠隔制御構築データを外部データベースから受信するステップとを有するものである。
【００２０】
この構成によって、新たに追加された映像情報提供装置に対する遠隔制御構築データも容易に表示制御装置を介して外部データベースから取得することができる。しかも、映像情報提供装置を遠隔的に操作するために、遠隔操作情報を表示制御装置に送信するステップと、遠隔操作情報によって遠隔制御される映像情報提供装置から表示制御装置を介して映像情報を受信するステップとを有するので、新たに追加された映像情報提供装置に対しても遠隔操作画面上で操作入力される遠隔操作情報に基づいて遠隔制御される映像情報提供装置から映像情報を受信して映像を表示できるようになる。
【発明を実施するための最良の形態】
【００２１】
続いて、この発明に係る映像表示装置、その制御方法、その制御プログラム及び記録媒体の一実施の形態について、図面を参照しながら説明をする。
【００２２】
図１は本発明に係る実施形態としての映像表示装置が適用されるリモコン構築情報処理システム１００の構成例を示す図である。
【００２３】
この実施形態では、リモコン構築情報処理システム１００を構成し、任意のオーディオビデオ機器に対応した表示情報を含む遠隔制御構築データを配信する情報配信装置と、このオーディオビデオ機器を遠隔制御する遠隔操作画面表示機能付きの映像表示装置を表示制御装置及び通信手段を通して接続する。次に、表示制御装置は、情報配信装置から配信された遠隔制御構築データに基づいて映像表示装置で遠隔操作画面を表示し、この遠隔操作画面上で操作入力される遠隔操作情報に基づいてオーディオビデオ機器を遠隔制御する。このようにして、新たに追加されたオーディオビデオ機器に対する遠隔制御構築データも容易に情報配信装置から取得できるようにすると共に、１台の映像表示装置で家庭内等の複数台のオーディオビデオ機器を表示制御装置を介して集中遠隔操作可能な多機能リモコンサービスシステムを構築できるようにしたものである。
【００２４】
図１に示すリモコン構築情報処理システム１００は、任意のオーディオビデオ機器に対応した遠隔制御構築データを配信し処理するシステムである。このシステム１００は、デジタルＣＳ／ＢＳチューナーや、ＤＶＤプレーヤ、ＣＤ／ＭＤプレーヤ等のオーディオビデオ機器（以下で総称してＡＶ機器１１０等という）に対応した遠隔制御構築データを配信する多機能リモコンサービスシステムに適用して好適である。
【００２５】
このリモコン構築情報処理システム１００で情報提供事業者側には、情報配信装置１０８が用意される。情報配信装置１０８は例えば、サーバ１０６、データベース１０７及びアプリケーション１０４から構成される。サーバ１０６は、上述のＡＶ機器１１０等に対応した遠隔制御構築データ（以下でリモコン構築データＤrcという）を配信するようになされる。情報利用者（以下ユーザという）側には、遠隔操作画面表示機能付きの映像表示装置（以下単に表示装置１０２という）が用意される。
【００２６】
表示装置１０２は、外部のデータベース１０７に接続されるベースステーション１０１を遠隔制御し、映像情報を配信するためのＡＶ機器１１０から当該ベースステーション１０１を介して映像情報を受信し、当該映像情報に基づいて映像表示をするものである。
【００２７】
この例で、ベースステーション１０１及び表示装置１０２を併せて情報処理装置１０３ともいう。ベースステーション１０１は、ＡＶ機器１１０に接続され、当該ＡＶ機器１１０を遠隔制御することにより供給される映像情報を表示装置１０２に転送する。ベースステーション１０１は、サーバ１０６を介してデータベース１０７に接続され、表示装置１０２から映像情報の配信要求を受信できるようになされる。表示装置１０２は、データベース１０７から配信されるリモコン構築データＤrcを記憶できるようになされる。
【００２８】
リモコン構築データＤrcは、表示装置１０２の表示画面にリモコンＲＭを模式的に表す映像を表示するための表示情報及び当該表示画面に表示されたリモコンＲＭで操作入力される遠隔操作情報を組み合わせたデータをいう。リモコン構築データＤrcには、遠隔操作画面を表示する表示情報、及び、当該遠隔操作画面上の操作に対応した遠隔操作情報が含まれる。
【００２９】
リモコン構築データＤrcには、ユーザインタフェース、取扱い説明書等のデータや、制御プログラム等のアプリケーション１０４が含まれる。サーバ１０６は、ユーザの情報処理装置１０３を対象として提供されるリモコン構築データＤrcの配信サービスを個別に管理する。これはユーザに対する課金処理を円滑に行うためである。このサーバ１０６は、データベース１０７に接続される。データベース１０７は、新たなＡＶ機器１１０等が製造される毎に、そのＡＶ機器１１０に対応したリモコン構築データＤrcを追加して格納される。
【００３０】
これは新たなＡＶ機器１１０等のリモコン構築データＤrcの配信サービスに対処するためである。データベース１０７は、メーカー／機種名が選択可能なように操作され、そこにリモコン構築データＤrc等のアプリケーション１０４がセキュアな環境で管理される。アプリケーションソフトウェアとしてはプリンタドライバ等が挙げられる。
【００３１】
このシステム１００でリモコン構築データＤrcの配信サービスを行う場合に、サーバ１０６は、当該情報処理システム１００の決済に対応した有料課金処理をするようになされる。この際の決済処理は、例えば、磁気カードや電子カード等のＩＤカードを使用して決済がなされる。これは有料課金処理を個別に管理するためである。サーバ１０６は、ユーザの銀行口座から自動的に料金を引き落とすようになされる。これにより、ＩＤカードによる決済に対応した専用サービス又は汎用サービスを実現することができる。
【００３２】
また、ユーザ側に用意された表示装置１０２は、サーバ１０６から取得したリモコン構築データＤrcに基づいてＡＶ機器１１０等をベースステーション１０１を介して遠隔制御するようになされる。ベースステーション１０１及び表示装置１０２には、インターネットに接続可能で衛星データ放送等の受信可能な対象機器として「エアボード（Ｒ）」（ソニー（株）：登録商標）が使用される。エアボード（Ｒ）は、テレビ放送受信機能を備えており、据置型のベースステーション（選局装置）１０１及び携帯端末型の表示装置１０２から構成される。
【００３３】
エアボード（Ｒ）は、ベースステーション１０１から表示装置１０２を分離し搬送可能になされる。この表示装置１０２は、タッチパネルを備えたものが好ましい。これは表示装置１０２に表示されたリモコンに手を触れて操作入力するためである。このリモコン操作入力によって得られる遠隔操作情報は、表示装置１０２からベースステーション１０１へ出力される。このベースステーション１０１は、遠隔操作情報をオーディオビデオ機器へ送信して遠隔操作をするようになされる。
【００３４】
このベースステーション１０１及び表示装置１０２でリモコン構築データＤrcを取得する際は、サーバ１０６と当該ベースステーション１０１とが通信手段を通じて接続するようになされる。これはサーバ１０６に対して当該ＡＶ機器１１０等に対応したリモコン構築データＤrcを配信要求するためである。この例で通信手段にはインターネット１０５や、放送基盤、公衆電話回線、専用通信回線等が使用される。
【００３５】
このリモコン構築情報処理システム１００でベースステーション１０１は、サーバ１０６に対して当該ＡＶ機器１１０等に対応したリモコン構築データＤrcの配信要求処理をする。この配信要求処理によってベースステーション１０１及び表示装置１０２は、サーバ１０６からリモコン構築データＤrcを受信（ダウンロード）する。サーバ１０６からダウンロードしたリモコン構築データＤrcは、例えば、ベースステーション１０１又は表示装置１０２に設けられた不揮発性のメモリに格納される。新たなＡＶ機器１１０等が追加された場合は、そのＡＶ機器１１０に対応するリモコン構築データＤrcを更にダウンロードして追加するようになされる。そして、このリモコン構築データＤrcに基づいて表示装置１０２は、遠隔操作画面の表示処理をし、この遠隔操作画面上で遠隔操作情報が操作入力される。この遠隔操作情報は、ベースステーション１０１に転送される。ベースステーション１０１は、表示装置１０２で操作入力される遠隔操作情報に基づいてＡＶ機器１１０等を遠隔制御するようになされる。
【００３６】
このリモコン構築情報処理システム１００でＡＶ機器１１０等とベースステーション１０１とは、有線方式又は無線方式により接続される。有線方式の場合は、ＩＥＥＥ１３９４、ＵＳＢ等の通信規格のインタフェースに対してこれらの通信規格の通信ケーブルにより接続される。もちろん、これに限られることはなく、ＡＶ機器１１０等とベースステーション１０１とを赤外線方式により光学的に通信経路を確立してもよい。リモコン構築データＤrcに基づいてＡＶ機器１１０等を遠隔制御できれば、どのような接続方式を採ってもよい。
【００３７】
なお、ＡＶ機器１１０等を遠隔制御する据置型のベースステーション１０１及び遠隔操作画面表示機能付きの表示装置１０２を情報処理系Ｉとし、ベースステーション１０１にリモコン構築データＤrcを配信するサーバ１０６、データベース１０７及びアプリケーション１０４を情報配信系IIとする。
【００３８】
続いて、本発明に係る表示装置１０２の制御方法について説明をする。図２Ａは、情報処理系Ｉにおけるリモコン構築データの配信要求例、図２Ｂは、情報配信系IIにおけるリモコン構築データの配信例、図２Ｃは、情報処理系Ｉにおける遠隔操作例を各々示すフローチャートである。
【００３９】
このリモコン構築情報処理システム１００では任意のＡＶ機器１１０等に対応したリモコン構築データＤrcを配信し処理する場合を前提とする。情報処理系Ｉには例えば、据置型のベースステーション１０１及び遠隔操作画面表示機能付きの表示装置１０２から構成された情報処理装置１０３が準備される。情報配信系IIには、サーバ１０６、データベース１０７及びアプリケーション１０４から構成された情報配信装置１０８が準備される。
【００４０】
これらを表示装置１０２の制御条件にして、ユーザでＡＶ機器１１０等に対応したリモコン構築データＤrcを取得する場合は、図２Ａに示すフローチャートのステップＡ１でリモコン構築データＤrcを配信する情報配信系IIのサーバ１０６と、情報処理系Ｉのベースステーション１０１を通信手段の一例となるインターネット１０５を介して接続する。通信手段はインターネット１０５に限られることはなく、情報処理システム１００によって、放送基盤や、公衆電話回線、専用通信回線等を使用するようにしてもよい。
【００４１】
そして、ステップＡ２に移行してユーザは、ベースステーション１０１を通じて表示装置１０２からサーバ１０６に対して当該ＡＶ機器１１０等に対応したリモコン構築データＤrcを配信要求する。このとき、情報配信系IIにおいては、ＡＶ機器１１０等の機器認証や、ユーザの認証処理をするようにしてもよい。これらの認証処理をするに当たってＡＶ機器１１０の製造番号情報等に鍵情報を組み込んでおくとよい。このようにすると、鍵情報から対象機器が識別され、その識別された対象機器のリモコン構築データＤrcを正確に配信することができる。
【００４２】
また、情報配信系IIは、図２Ｂに示すフローチャートのステップＢ１で当該配信要求を受信する。そして、ステップＢ２で配信要求が有ったＡＶ機器１１０等のリモコン構築データＤrcを検索する。その後、情報配信系IIは、配信要求が有った情報処理系ＩへステップＢ３でリモコン構築データＤrcを配信する。その後、情報配信系IIは、ステップＢ４に移行して当該情報処理システム１００に関して顧客管理をする。この顧客管理は、現状の利用状況を把握し、今後のサービスを向上させるためである。
【００４３】
例えば、サーバ１０６は情報処理系Ｉを対象として提供されるリモコン構築データＤrcの配信サービスを個別に管理する。このとき、サーバ１０６はユーザ毎に当該配信サービスの決済に対応した有料課金処理をする。また、情報配信系IIは、リモコン構築データＤrcの配信要求から、ユーザが購入したＡＶ機器１１０の機種等が把握される。人気商品の今後の開発や、リモコン構築データＤrcの配信サービスの向上を図るためである。
【００４４】
一方、情報処理系Ｉは、図２Ａに示すフローチャートのステップＡ３でサーバ１０６からリモコン構築データＤrcを受信（ダウンロード）する。サーバ１０６からダウンロードしたリモコン構築データＤrcは、例えば、ベースステーション１０１又は表示装置１０２に設けられた不揮発性のメモリに格納される。なお、新たなＡＶ機器１１０等が追加された場合は、そのリモコン構築データＤrcを更にダウンロードして追加するようになされる。
【００４５】
また、情報処理系ＩでＡＶ機器１１０等を遠隔制御する場合は、ベースステーション１０１を通じて表示装置１０２は、図２Ｃに示すフローチャートのステップＣ１でメモリからリモコン構築データＤrcを読み出して遠隔操作画面を表示する。このとき、遠隔操作画面は、ベースステーション１０１から分離した状態の表示装置１０２でも表示が可能となされる。
【００４６】
そして、ステップＣ２で表示装置１０２は、遠隔操作画面上でタッチパネルが操作され、遠隔操作情報を操作入力するように操作される。この遠隔操作情報は表示装置１０２からベースステーション１０１へ出力するようになされる。そして、ステップＣ３でベースステーション１０１は表示装置１０２から受信した遠隔操作情報に基づいてＡＶ機器１１０等を遠隔制御する。ＡＶ機器１１０等は、ベースステーション１０１から受信した遠隔操作情報に基づいて動作するようになる。
【００４７】
従って、新たに追加されたＡＶ機器１１０等に対するリモコン構築データＤrcも容易にサーバ１０６から取得することができる。しかも、新たに追加されたＡＶ機器１１０等に対しても遠隔操作画面上で操作入力される遠隔操作情報に基づいて遠隔制御することができる。これにより、ベースステーション１０１及び表示装置１０２から成る情報処理装置１０３で家庭内等の複数台のＡＶ機器１１０等を集中遠隔操作可能な多機能リモコンサービスシステムを構築することができる。
【００４８】
続いて、当該リモコン構築情報処理システム１００に適用されるテレビ受信システムの構成例について説明をする。図３に示すテレビ受信システムには、ベースステーション１０１及び表示装置１０２から成る情報処理装置１０３が備えられる。ベースステーション１０１は、任意のＡＶ機器１１０等に対応したリモコン構築データＤrcを情報配信系IIから受信して当該ＡＶ機器１１０等の遠隔制御をするようになされる。更に、ベースステーション１０１及び表示装置１０２はテレビ受信システムを構成し、ベースステーション１０１と、表示装置１０２とは無線通信により接続され、１組で情報処理装置１０３を構成するものである。
【００４９】
ユーザが遠隔制御をしようとするＡＶ機器１１０等は、ＩＥＥＥ１３９４、ＵＳＢ等のインタフェースを通じてベースステーション１０１に接続される。もちろん、これに限られることはなく、ＡＶ機器１１０等とベースステーション１０１とを赤外線方式（ＡＶマウス等）により光学的に接続してもよい。ＡＶマウスとは、ビデオデッキなどを操作する際に、ベースステーション１０１から赤外線等の制御光を出力する機器をいう。
【００５０】
ベースステーション１０１は、例えば、家庭内に設置されて用いられる。また、表示装置１０２は、使用者の近傍において用いられる。このベースステーション１０１は、屋外に設置されたテレビ放送受信用のアンテナ１１１に接続され、屋外から屋内に引き込まれたアンテナケーブル１１１cbに接続されると共に、電話網に接続され、屋外から屋内に引き込まれた電話線Ｌに接続される。これはベースステーション１０１をインターネットに接続して情報配信系IIから任意のＡＶ機器１１０等に対応したリモコン構築データＤrcを受信するためである。
【００５１】
このベースステーション１０１は、アンテナ１１１から受信したテレビ放送番組を選局し、ここに選局されたテレビ放送番組を受信処理した後の送信信号Ｓoutを送受信用のアンテナ１１８を通じて表示装置１０２に向けて無線送信する。あるいは、ベースステーション１０１は、電話線Ｌを通じて送信されてくる通信内容や、情報配信系IIから受信したリモコン構築データＤrcを受信処理した後の送信信号Ｓoutを送受信用のアンテナ１１８を通じて、表示装置１０２に向けて無線送信する。
【００５２】
また、ベースステーション１０１は、表示装置１０２から指示情報や電子メールなどの受信信号Ｓinを送受信用のアンテナ１１８を通じて受信し、ここで受信した指示情報に応じて選局するテレビ放送番組を変えたり、通信情報を電話線Ｌを通じて相手方の端末装置へ送信したりすることができるものである。
【００５３】
表示装置１０２は、ベースステーション１０１から無線送信されてくる信号Ｓoutを受信し、表示手段の一例となる液晶表示部１２５の表示画面に、送信信号Ｓoutに含まれる画像信号に応じた画像を表示する。この例では、リモコン構築データＤrcに基づいて表示装置１０２で遠隔操作画面の表示処理をし、この遠隔操作画面上でリモコンキーの入力操作によって遠隔操作情報が選択される。
【００５４】
この遠隔操作画面上で遠隔操作情報を選択するようにしたのは、ここで選択された選択遠隔操作情報に基づいてベースステーション１０１でＡＶ機器１１０等を遠隔制御するためである。これと共に、表示装置１０２では受信した信号Ｓoutに含まれる音声信号による音声をスピーカから放音することにより、テレビ放送番組の視聴を可能となされる。
【００５５】
また、表示装置１０２は、ベースステーション１０１が電話線Ｌを通じて受信し処理した後の、例えば、電子メールやインターネット１０５のホームページなどの通信情報を無線受信し、ここで受信した信号Ｓoutから表示用の信号を形成し、この表示用の信号に応じた画像を液晶表示部１２５に表示して使用者に提供するようになされる。
【００５６】
さらに、この表示装置１０２の液晶表示部１２５の表示画面には、タッチパネル３５１が貼付されており、表示装置１０２は、液晶表示部１２５の表示画面に表示される表示情報とタッチパネル３５１とにより、使用者からの各種の指示入力などの情報の入力を受け付けできるようになっている。そして、表示装置１０２は、タッチパネル３５１を有することによって、電子メールを作成して送信したり、自分宛ての電子メールを受信して表示したりするなど各種の操作を行えるようになっている。
【００５７】
この例では表示装置１０２の表示画面上で、上述のリモコン構築データＤrcに基づくリモコンを模式的に表す映像と、タッチパネル３５１の入力操作機能により、いわゆる「リモコン」が構築され、リモコンキーの入力操作によって遠隔操作情報をベースステーション１０１へ出力するようになされる。つまり、表示装置１０２は、ベースステーション１０１によりテレビ受信システムに取り込まれた情報を使用者に提供したり、使用者からの情報を受け付けるユーザインタフェースとしての機能を有している。この他に、表示装置１０２は、ＡＶ機器１１０等を遠隔制御するユーザインタフェースとしてのリモコン機能を有している。このリモコン機能はサーバ１０６からダウンロードしたリモコン構築データＤrcに基づいて構築される（組み立てられる）。
【００５８】
また、ベースステーション１０１は、図３に示すように、例えば、アンテナケーブル１１１cbとの接続端子Ｔ１や電話線Ｌとの接続端子Ｔ２が設けられた位置に応じて、その両方に確実に接続することが可能な位置に配設することが好ましい。そして、図３に示したように、ベースステーション１０１は、表示装置１０２に対して無線接続されることが好ましい。これはベースステーション１０１から表示装置１０２と取り外して自由に持ち運べるからである。
【００５９】
従って、ベースステーション１０１からの無線信号の受信が可能なエリアであれば何処ででも、表示装置１０２を持ち歩けることから、目的とするテレビ放送番組を視聴したり、インターネット１０５に接続して電子メールのやり取りを行うなどのことができる。更に、ユーザは、遠くに離れたところにあるＤＶＤ装置や、デジタルＣＳチューナー等のＡＶ機器１１０等を表示装置１０２の操作画面上のリモコンで遠隔操作できるようになる。これにより、ＤＶＤ装置からベースステーション１０１を介して映像情報を表示装置１０２に配信できるようになる。
【００６０】
続いて、ベースステーション１０１及び表示装置１０２の内部構成例について、それぞれ内容を分けて説明する。
【００６１】
［ベースステーション］
図４に示すベースステーション１０１は、所定のＷｅｂサイトからリモコン構築データＤrcをダウンロード可能な装置である。この他に、ベースステーション１０１は、テレビ放送信号や、電話線Ｌを通じて提供される各種の情報を、図３に示したテレビ受信システムに取り込んだり、このテレビ受信システムから電話線Ｌを通じて通信ネットワークに情報を送出したりするインタフェースとしての機能を有している。
【００６２】
このベースステーション１０１の各部は、制御装置及び配信要求手段の一例となる制御部２００によって制御するようにされている。制御部２００は、図４に示すように、ＣＰＵ（Central Processing Unit）２０１、ＲＯＭ（Read Only Memory）２０２、ＲＡＭ（Random Access Memory）２０３、ＥＥＰＲＯＭ（Electrically Erasable Programmable Read Only Memory）２０４から構成される。これらのＣＰＵ２０１、ＲＯＭ２０２、ＲＡＭ２０３、ＥＥＰＲＯＭ２０４は、ＣＰＵバス２０６を通じて接続される。制御部２００は、マイクロコンピュータを構成するものである。
【００６３】
制御部２００は、図１で説明した情報配信系IIに対して当該ＡＶ機器１１０等に対応したリモコン構築データＤrcの配信を要求する機能（配信要求機能）及び、表示装置１０２に表示された遠隔操作画面上で操作入力される遠隔操作情報に基づいてＡＶ機器１１０等を遠隔制御する機能（遠隔制御機能）を兼ね備えている。ここで、ＲＯＭ２０２は、ベースステーション１０１において実行する各種の処理プログラムや情報処理に必要なデータＤ１１などが記録されたものである。ＲＡＭ２０３は、各種の処理において得られたデータを一時的に記憶保持するなどのように、主に各種の処理の作業領域として用いられるものである。ＲＡＭ２０３は、例えば、リモコン構築データＤrc、データＤ１１、キーデータＤ１２、遠隔操作データＤ２３等を記憶する。遠隔操作データＤ２３は、表示装置１０２からベースステーション１０１へ転送されてくる。
【００６４】
ＥＥＰＲＯＭ２０４は、いわゆる不揮発性のメモリであり、電源が落とされても、記憶保持した情報が失われることがなく、例えば、ベースステーション１０１の主電源が落とされる直前まで選局していた放送チャンネルの情報を記憶保持する。ＥＥＰＲＯＭ２０４は、電源投入後において、前回電源が落とされる直前まで選局していたチャンネルの放送信号を選局するようにする、いわゆる、ラストチャンネルメモリ機能を実現することなどができるようになっている。
【００６５】
このＥＥＰＲＯＭ２０４には、ラストチャンネルメモリ機能を実現する情報が記憶される他に、サーバ１０６から配信されたリモコン構築データＤrcが格納される。このリモコン構築データＤrcは、表示装置１０２に格納しておいてもよい。これにより、新たに追加されたＡＶ機器１１０等に対するリモコン構築データＤrcも、ＥＥＰＲＯＭ２０４に容易に記録できるようになる。
【００６６】
この実施形態のベースステーション１０１によれば、屋外に設置されたテレビ放送受信用のアンテナ１１１からのアンテナケーブル１１１cbは、ベースステーション１０１の選局部１１２に接続される。このアンテナ１１１によって受信されたテレビ放送信号Ｓｉは、選局部１１２に供給される。選局部１１２は、アンテナ１１１によって受信されたテレビ放送信号Ｓｉの中から、選局指示信号Ｓ１１に応じたテレビ放送信号Ｓｉを選局し、ここで選局されたテレビ放送信号Ｓｉを復調部１１３に供給する。選局指示信号Ｓ１１は制御部２００から選局部１１２へ出力される。復調部１１３は、選局部１１２から入力したテレビ放送信号Ｓｉを制御信号Ｓ１２に基づいて復調し、復調後の信号（以下テレビ番組の信号Ｓａという）をスイッチ回路１１４の入力端ａに供給する。制御信号Ｓ１２は、ＣＰＵ２０１から復調部１１３に供給される。
【００６７】
スイッチ回路１１４は、制御部２００からの切り換え制御信号Ｓ１３により切り換え制御され、復調部１１３から入力端ａに供給されるテレビ番組の信号Ｓａを出力するのか、あるいは、制御部２００から入力端ｂに供給される信号Ｓｂを出力するのかを切り換える。なお、制御部２００からスイッチ回路１１４に供給される信号Ｓｂは、後述もするように、電話線Ｌを通じてベースステーション１０１に供給され、通信用のモデム部２１０を通じて受信した電子メールやインターネット１０５のいわゆるホームページの情報などである。もちろん、信号Ｓｂは、情報配信系IIからダウンロードしたＡＶ機器１１０等に対応したリモコン構築データＤrcである。これはリモコン構築データＤrcを表示装置１０２内のメモリに格納される場合を想定しているためである。
【００６８】
また、スイッチ回路１１４から出力された信号Ｓａ又はＳｂは、圧縮処理部１１５に供給される。圧縮処理部１１５は、スイッチ回路１１４から入力した信号Ｓａ又はＳｂを所定の圧縮方式を用いてデータ圧縮する。この圧縮処理部１１５においては例えば、制御信号Ｓ１４に基づき、ＭＰＥＧ（Moving Picture Expert Group）方式やWavelet方式などのデータ圧縮方式を用いて、スイッチ回路１１４からの信号Ｓａ又はＳｂをデータ圧縮する。制御信号Ｓ１４は、ＣＰＵ２０１から圧縮処理部１１５に供給される。
【００６９】
圧縮処理部１１５においてデータ圧縮されたデータＤabは、送信信号形成部１１６に供給される。送信信号形成部１１６は、予め決められた通信プロトコルに準拠した送信信号Ｓabを形成する。この実施形態においては、制御信号Ｓ１５に基づき、データＤabから、ＩＥＥＥ（Institute of Electrical and Electronics Engineers）８０２．１１方式のプロトコル、あるいはその発展プロトコルに準拠した送信信号Ｓabを形成する。制御信号Ｓ１５は、ＣＰＵ２０１から送信信号形成部１１６に供給される。
【００７０】
送信信号形成部１１６において形成された送信信号Ｓabは、送受信無線部１１７の送信処理部１１７Ｓに供給される。送受信無線部１１７は、共用部１１７Ｋ、送信処理部１１７Ｓ及び受信処理部１１７Ｒを有している。送信処理部１１７Ｓは、制御部２００からの制御信号Ｓ１６に応じて、送信信号Ｓabの変調処理や増幅処理を行う。送信処理部１１７Ｓにおいて処理された送信信号Ｓoutは、共用部１１７Ｋ、アンテナ１１８を通じて表示装置１０２へ無線送信される。
【００７１】
共用部１１７Ｋは、送信信号Ｓoutと受信信号Ｓinとが干渉し合うことを防止する。すなわち、ベースステーション１０１は、前述したように、表示装置１０２から無線送信される指示情報などをアンテナ１１８を通じて受信できるように構成される。そこで、共用部１１７Ｋは、送信処理部１１７Ｓからの送信信号Ｓoutが、アンテナ１１８を通じて受信される受信信号Ｓinに対して干渉することがないようにしている。
【００７２】
アンテナ１１８を通じて受信した表示装置１０２からの、例えば、選局指示などの受信信号Ｓinは、共用部１１７Ｋを通じて受信処理部１１７Ｒに供給される。受信処理部１１７Ｒは、制御信号Ｓ１７に基づき、表示装置１０２から受信した信号Ｓin、例えば、遠隔操作データＤ２３を復調するなどの処理を行って、制御部２００が扱える信号Ｓｒにし、この信号Ｓｒを制御部２００に供給する。制御信号Ｓ１７は、ＣＰＵ２０１から受信処理部１１７Ｒに供給される。
【００７３】
制御部２００は、受信処理部１１７Ｒからの信号Ｓｒが、選局指示などの指示信号であるときには、その指示信号に応じて各部を制御する。従って、受信処理部１１７Ｒから制御部２００に供給された信号Ｓｒが、選局指示であった場合には、制御部２００は、供給された選局指示に応じた選局指示信号Ｓ１１を選局部１１２に供給し、選局するテレビ放送信号Ｓｉを換えるように選局部１１２を制御する。
【００７４】
また、受信処理部１１７Ｒから制御部２００に供給された信号Ｓｒが、電子メールなどの送信情報であった場合には、制御部２００は、後述もするように、通信モデム部２１０および電話線Ｌを通じて電話網を接続し、この電話網に送信情報を送出して目的とする相手先に送信する。
【００７５】
通信モデム部２１０は、図４に示すように、インタフェース（図４においてはＩ／Ｆと記載）回路２１１と、通信部２１２から構成される。Ｉ／Ｆ回路２１１は、相手先とベースステーション１０１との間に電話網を通じて接続される通信回線と、このベースステーション１０１との間のインタフェースであり、電話網（電話線Ｌ）を通じて送信されてくる受信データＤinを受信したり、通信部２１２からの送信データＤoutを送信したりする。もちろん、Ｉ／Ｆ回路２１１は、情報配信系IIからダウンロードしたＡＶ機器１１０等に対応したリモコン構築データＤrcを受信する。
【００７６】
通信部２１２は、Ｉ／Ｆ回路２１１を通じて受信した受信データＤinや、リモコン構築データＤrcを復調して、これを制御部２００に供給したり、制御部２００からの送信データＤoutを変調して、これをＩ／Ｆ回路２１１に供給する。これにより、電話線Ｌが接続された相手先との間で、各種のデータＤin／Ｄoutを送受したり、リモコン構築データＤrcを受信したり、ＡＶ機器１１０等の鍵情報を送信することができる。
【００７７】
従って、前述したように、このベースステーション１０１は、通信モデム部２１０、電話線Ｌ、および、所定のＩＳＰ（Internet Service Provider）を通じ、図１に示したインターネット１０５に接続され、このインターネット１０５を通じて各種の情報の提供を受けるようになされる。この例では、情報配信系IIに対して当該ＡＶ機器１１０等に対応したリモコン構築データＤrcの配信を要求し、情報配信系IIからこれに対応したリモコン構築データＤrcをダウンロードするようになされる。この他に、ベースステーション１０１及び表示装置１０２は、電子メールを受信したり送信したり、あるいはチャットをできるようになされる。
【００７８】
例えば、制御部２００は、通信モデム部２１０を制御して、オフフックしたりオンフックするなどのことができると共に、オフフックするように通信モデム部２１０を制御したときは、ダイヤル信号を電話線Ｌに送出するようにする、いわゆる、ダイヤラとしての機能なども備えられる。情報配信系IIに対して各種のＡＶ機器１１０等のリモコン構築データＤrcを配信要求することができる。なお、図４において、キー入力部２１５が制御部２００に接続されている。キー入力部２１５には、電源のオン／オフキーや各種の設定キーが設けられる。オン／オフキーは、ベースステーション１０１の主電源のオン／オフに使用される。設定キーは、各種の設定入力に使用される。キー入力部２１５は、例えば、これらのキー操作に基づくキーデータＤ１２をＲＡＭ２０３に出力する。
【００７９】
このように、ベースステーション１０１は、テレビ放送信号Ｓｉを受信、選局して復調し、この復調後のテレビ放送番組の信号Ｓａをデータ圧縮して、所定の通信プロトコルに従って無線送信することができるものである。また、電話回線を通じて提供されるリモコン構築データＤrc等のネットワーク情報を受信して復調し、これをテレビ放送信号Ｓｉの場合と同様に、データ圧縮して、所定の通信プロトコルに従って無線送信することができるものである。
【００８０】
また、ベースステーション１０１は、後述する表示装置１０２から無線送信されてくる選局指示などの指示情報やＡＶ機器を遠隔操作するための遠隔操作データＤ２３を受信し、その情報に応じた処理を行ったり、表示装置１０２から送信されてくる電子メールなどの送信情報を、通信モデム部２１０を通じて送信することができるものである。
【００８１】
［表示装置］
この例では、データベース１０７へ配信要求して得たリモコン構築データＤrc及び遠隔操作画面上の操作に対応して得られる遠隔操作データＤ２３をベースステーション１０１に配信する送信処理部１２２Ｓを備え、ＡＶ機器１１０を遠隔的に操作し、遠隔操作データＤ２３に基づいてＡＶ機器１１０からベースステーション１０１を介して映像情報を受信するようにして、新たに追加されたオーディオビデオ機器に対しても遠隔操作画面上で操作入力される遠隔操作データＤ２３に基づいて遠隔制御されるＡＶ機器１１０から映像情報を受信して映像を表示できるようにしたものである。
【００８２】
図５に示す表示装置１０２は、携帯端末表示装置を構成し、前述したベースステーション１０１と無線接続されるものである。そして、表示装置１０２は、ＡＶ機器１１０等を遠隔制御するユーザインタフェースとしてのリモコン機能を有している。リモコン機能は、サーバ１０６からダウンロードしたリモコン構築データＤrcに基づいて構築される。表示装置１０２は、制御部３００を有している。制御部３００は、ＣＰＵ３０１、ＲＯＭ３０２、ＲＡＭ３０３及び、ＥＥＰＲＯＭ３０４から構成される。これらのＣＰＵ３０１、ＲＯＭ３０２、ＲＡＭ３０３及び、ＥＥＰＲＯＭ３０４は、ＣＰＵバス３０５を通じて接続される。つまり、制御部３００は、マイクロコンピュータを構成し、表示装置全体を制御するようにされる。
【００８３】
ＣＰＵバス３０５には、制御部３００の他に、送受信無線部１２２、伸長処理部１２３、送信信号形成部１２８、キー入力部３２９及びタッチパネルタッチパネル３５１が接続される。送受信無線部１２２は、共用部１２２Ｋ、送信処理部１２２Ｓ及び受信処理部１２２Ｒを有している。伸長処理部１２３は、画像信号処理部１２４及び音声信号処理部１２６に接続される。
【００８４】
ＣＰＵバス３０５に接続されたＲＯＭ３０２は記憶媒体の一例を構成し、当該表示装置１０２において実行する各種の処理プログラムや、情報処理に必要なデータＤ２１などを記録する。例えば、ＲＯＭ３０２には当該表示装置１０２を制御するプログラムが格納される。その格納内容は、図２Ｃ及び図１２Ａを参照されたい。
【００８５】
ＲＡＭ３０３は、各種の情報処理において得られたデータを一時的に記憶保持するなどのように、主に各種の処理の作業領域として用いられる。例えば、ＲＡＭ３０３は、リモコン構築データＤrc、データＤ２１、キーデータＤ２２、遠隔操作データＤ２３等を記憶する。遠隔操作データＤ２３は、表示装置１０２からベースステーション１０１へ転送される。
【００８６】
ＥＥＰＲＯＭ３０４は、いわゆる不揮発性のメモリであり、電源が落とされても、記憶保持した情報が失われることがなく、例えば、各種の設定パラメータや、作成した電子メールや受信した電子メール、チャットの内容（テキストデータ）などが記憶保持される。ＥＥＰＲＯＭ３０４は、テキストデータ等を記憶する他に、サーバ１０６から配信されたリモコン構築データＤrcを格納する。このリモコン構築データＤrcは、ベースステーション１０１から無線転送されてくる。これにより、新たに追加されたＡＶ機器１１０等に対するリモコン構築データＤrcも容易にＥＥＰＲＯＭ３０４に格納することができる。上述した表示装置１０２を制御するためのプログラムは、ＲＯＭ３０２に限られることはなく、ＥＥＰＲＯＭ３０４に格納したものでもよい。
【００８７】
この実施形態でベースステーション１０１からの無線信号を受信する場合、表示装置１０２は、次のように動作する。ベースステーション１０１からの所定の通信プロトコルに準拠した無線信号は、図５に示す送受信用のアンテナ１２１により受信され、共用部１２２Ｋを通じて受信処理部１２２Ｒに供給される。受信処理部１２２Ｒは、受信の一例を構成し、アンテナ１２１から入力した信号Ｓin’を制御信号Ｓ２１に基づいて復調するなどの処理を行って、復調後の信号Ｓｃを伸長処理部１２３に供給する。制御信号Ｓ２１はＣＰＵ３０１から受信処理部１２２Ｒに供給される。この例で、受信処理部１２２Ｒはキー入力部３２９やタッチパネル３５１等の操作によって配信要求されたリモコン構築データＤrcをデータベース１０７からベースステーション１０１を介して受信する。受信処理部１２２Ｒによって受信したリモコン構築データＤrcは、ＥＥＰＲＯＭ３０４に格納される。
【００８８】
前述したように、ベースステーション１０１から無線送信されてくる信号Ｓout（＝Ｓin’）は、データ圧縮されているので、表示装置１０２の伸長処理部１２３は、復調後の信号Ｓｃを制御信号Ｓ２２に基づき伸長して元の信号を復元する。制御信号Ｓ２２はＣＰＵ３０１から伸長処理部１２３に供給される。復元後の信号は、例えば、テレビ放送番組の信号Ｓａである場合においては、画像信号Ｓｖと音声信号Ｓｍから構成される。この画像信号Ｓｖは画像信号処理部１２４に供給され、音声信号Ｓｍは、音声信号処理部１２６に各々供給される。
【００８９】
画像信号処理部１２４は、伸長処理部１２３から画像信号Ｓｖを入力して表示用信号Ｓｖ’を形成し、これを表示手段の一例となるタッチパネル方式の液晶表示部１２５に供給する。これにより、液晶表示部１２５は、表示用信号Ｓｖ’に基づく画像を表示する。例えば、ベースステーション１０１の配信要求機能によって情報配信系IIからダウンロードされたリモコン構築データＤrcに基づく遠隔操作画面が表示される。この遠隔操作画面により、リモコン機能を実現する。
【００９０】
一方、音声信号処理部１２６は、伸長処理部１２３から音声信号Ｓｍを入力して音声出力信号Ｓｍ’を形成し、この音声出力信号Ｓｍ’をスピーカ１２７に供給する。スピーカ１２７は、音声信号処理部１２６に接続される。これにより、スピーカ１２７は、音声出力信号Ｓｍ’に基づく音声を放音する。
【００９１】
このように、表示装置１０２は、ベースステーション１０１から無線送信されてきたテレビ放送番組などの信号Ｓin’を受信して、その受信した信号Ｓin’の画像信号Ｓｖや音声信号Ｓｍを再生して出力する。これにより、ユーザはテレビ放送番組の画像や音声等を視聴することができる。この機能に加えて、表示装置１０２は、液晶表示部１２５の表示画面上で「リモコン機能」を動作させる。
【００９２】
この表示画面上で「リモコン機能」を動作させる場合、図５に示すキー入力部３２９及び、タッチパネル３５１が操作される。キー入力部３２９は、制御部３００に接続される。キー入力部３２９は、電源のオン／オフキーや各種の設定キーが設けられる。オン／オフキーは、表示装置１０２の主電源のオン／オフに使用される。設定キーは、各種の設定入力に使用される。キー入力部３２９は、例えば、これらのキー操作に基づくキーデータＤ２２をＲＡＭ３０３に出力する。
【００９３】
タッチパネル３５１は、遠隔操作画面上で遠隔操作データＤ２３を入力する際に操作される。例えば、ユーザが遠隔操作画面によるリモコンキーをタッチ操作すると、遠隔操作データＤ２３がＥＥＰＲＯＭ３０４から読み出されてＲＡＭ３０３に一時記録される。更に表示装置１０２は、この遠隔操作画面によるリモコンキーの入力操作によって得られた遠隔操作データＤ２３をＲＡＭ３０３からベースステーション１０１へ出力するようになされる。
【００９４】
例えば、遠隔操作データＤ２３は、送信信号形成部１２８に供給される。送信信号形成部１２８は、予め決められた通信プロトコルに準拠した送信信号Ｓｅを形成する。この実施形態においては、制御信号Ｓ２３に基づき、遠隔操作データＤ２３から、ＩＥＥＥ（Institute of Electrical and Electronics Engineers）８０２．１１方式のプロトコル、あるいはその発展プロトコルに準拠した送信信号Ｓｅを形成する。制御信号Ｓ２３は、ＣＰＵ３０１から送信信号形成部１２８に供給される。このように、キー入力部３２９やタッチパネル３５１等の操作により、表示情報を含むリモコン構築データＤrcの配信をベースステーション１０１を介してデータベース１０７へ要求できるようになる。
【００９５】
送信信号形成部１２８において形成された送信信号Ｓｅは、送受信無線部１２２の送信処理部１２２Ｓに供給される。送受信無線部１２２は、共用部１２２Ｋ、送信処理部１２２Ｓ及び受信処理部１２２Ｒを有している。送信処理部１２２Ｓは配信部の一例を構成し、制御部３００からの制御信号Ｓ２４に応じて、送信信号Ｓｅの変調処理や増幅処理を行う。送信処理部１２２Ｓはリモコン構築データＤrc及び遠隔操作画面上の操作に対応した遠隔操作データＤ２３を、ＡＶ機器１１０を遠隔的に操作するためにベースステーション１０１に配信する。送信処理部１２２Ｓにおいて処理された送信信号Ｓoutは、共用部１２２Ｋ、アンテナ１２１を通じてベースステーション１０１へ無線送信される。
【００９６】
このように、ユーザがタッチパネル３５１を操作し、遠隔操作画面によるリモコンキーをタッチ操作すると、遠隔操作データＤ２３がＣＰＵ３０１の制御を受けて送信処理部１２２Ｓ、共用部１２２Ｋを介して、アンテナ１２１から、電波で、ベースステーション１０１に送信される。この他に、図１に示したサーバ１０６にリモコン構築データＤrcの配信要求する際や、電子番組ガイド等の取得を指令するときは、この指令に基づき、表示装置１０２のＣＰＵ３０１は、送信処理部１２２Ｓ、共用部１２２Ｋを介して、アンテナ１２１から、電波で、ベースステーション１０１を介在して所定のサーバ１０６にアクセスするようになされる。
【００９７】
この要求は、ベースステーション１０１のアンテナ１１８から、共用部１１７Ｋ、受信処理部１１７Ｒを介して、ＣＰＵ２０１に伝達される。そこで、ＣＰＵ２０１は、通信部２１２を制御し、Ｉ／Ｆ回路２１１を介して、所定のＩＳＰに接続させ、そこから、図１に示したインターネット１０５を介して所定のサーバ１０６にさらに接続させる。そして、そのサーバ１０６から、リモコン構築データＤrc等の情報配信を受ける。ＣＰＵ２０１は、Ｉ／Ｆ回路２１１および通信部２１２を介してそのサーバ１０６からリモコン構築データＤrc等を受信すると、これをＲＡＭ２０３に供給し、一旦、記憶させる。
【００９８】
さらに、ＣＰＵ２０１は、ＲＡＭ２０３に記憶されたリモコン構築データＤrc等を送信信号形成部１１６に供給する。送信信号形成部１１６は、リモコンの画像信号などの送信信号Ｓabを形成させる。この送信信号形成部１１６により形成された送信信号Ｓabは、送信処理部１１７Ｓへ入力される。送信処理部１１７Ｓは、送信信号Ｓabを処理して送信信号Ｓoutを共用部１１７Ｋからアンテナ１１８を介して、電波で表示装置１０２に出力する。
【００９９】
表示装置１０２においては、送受信用のアンテナ１２１を介してベースステーション１０１からの電波が受信され、共用部１２２Ｋ、受信処理部１２２Ｒを介して、伸長処理部１２３に供給される。伸長処理部１２３は、受信処理部１２２Ｒより供給されたリモコンを模式的に表す画像データを伸長処理した後、ＥＥＰＲＯＭ３０４に記憶させる。
【０１００】
さらに、ユーザがタッチパネル３５１を操作して、リモコンの表示を指令すると、ＣＰＵ３０１は、ＥＥＰＲＯＭ３０４に記憶されたリモコン構築データＤrcをそこから読み出すと、それを伸長処理部１２３に供給する。伸長処理部１２３は制御信号Ｓ２２に基づきリモコン構築データＤrcを伸長処理する。伸長処理部１２３は伸長処理後のリモコン構築データＤrcを画像信号処理部１２４に供給し、所定の処理を行わせた後、液晶表示部１２５に出力する。
【０１０１】
液晶表示部１２５は、リモコンを模式する映像を表示する。なお、表示装置１０２は、電子番組ガイド等のデータも同様にして配信を受けることができる。遠隔制御時には、送信処理部１２２Ｓによって送信される遠隔操作データＤ２３に基づいて遠隔制御されるＡＶ機器１１０からベースステーション１０１を介して受信処理部１２２Ｒが映像情報を受信するようになる。受信処理部１２２Ｒによって受信した映像情報は、液晶表示部１２５で表示するようになされる。
【０１０２】
続いて、液晶表示部１２５におけるリモコンＲＭの表示例について説明をする。図６に示すウィンドウ２０上でユーザが、例えば、「リモコン」を選択すると、リモコンＲＭを模式する映像が表示される。ウィンドウ２０は、液晶表示部１２５における表示画面である。このリモコンＲＭの表示例は、ベースステーション１０１に図示しないビデオデッキを接続し、このビデオ映像を表示装置１０２で視ながら、その表示画面内にビデオ用のリモコンＲＭを表示した場合を示している。
【０１０３】
図６に示すリモコンＲＭの表示例によれば、ウィンドウ２０上には、上部表示部２１と下部表示部２２が設けられ、上部表示部２１にはチャンネル名表示用のアイコンＫ１と、音量表示用のアイコンＫ２が表示される。この例でアイコンＫ１には、「ビデオ」が表示される。これはベースステーション１０１にビデオデッキが接続された状態で、ビデオ再生が選択されていることによる。アイコンＫ１には、「ビデオ」の他に、「テレビ」、「インターネット」、「メール」、「アルバム」等又は「設定」が表示される。アイコンＫ２は、音量を調整するものであり、その音量がバー表示するようになされる。
【０１０４】
また、下部表示部２２には画面メモキーＫ３、画質調整キーＫ４、音質調整キーＫ５、スリープキーＫ６及びリモコンキーＫ７が表示されている。画面メモキーＫ３は、画面を停止して映像を静止する際に操作される。画質調整キーＫ４は、テレビ又はビデオの画質を調整する際に操作される。音質調整キーＫ５は、テレビ又はビデオの音質を調整する際に操作される。
【０１０５】
スリープキーＫ６は、ベースステーション１０１に接続されたビデオデッキの電源を自動的に切る時間を設定する際に操作される。例えば、スリープキーＫ６を選択すると、動画表示領域内に設定用の子画面が表示され、電源を切る時刻の候補として「３０分後」、「６０分後」・・・・等が表示され、ユーザは、これを選択して設定するようになされる。リモコンキーＫ７は、「リモコン」を選択する際に操作される。
【０１０６】
上部表示部２１と下部表示部２２の間は、動画表示領域であり、ベースステーション１０１に接続されたビデオデッキから送出されるビデオ映像、この例ではヨットが帆走する動画風景映像がビデオデッキで再生され、表示装置１０２の液晶表示部１２５に表示される。この例は、動画表示領域において、ヨットの動画風景映像に重ねてリモコンＲＭの映像が表示される場合である。このリモコン映像は、下部表示部２２のリモコンキーＫ７を選択することで動画表示領域に表示される。このリモコンＲＭは、ベースステーション１０１に接続されたビデオデッキを遠隔制御するように操作される。
【０１０７】
続いて、ビデオ装置用のリモコンＲＭ１の表示例について説明をする。図７に示すリモコンＲＭ１は、表示装置１０２の液晶表示部１２５における表示画面中のリモコンを模式的に表す映像である。リモコンＲＭ１は、電源キーＫ１１、テレビ／ビデオＫ１２、二重音声キーＫ１３、ＢＳキーＫ１４、入力切換えキーＫ１５、チャンネル−／＋キーＫ１６、巻き戻しキーＫ１７、再生キーＫ１８、早送りキーＫ１９、一時停止キーＫ１１０、停止キーＫ１１１、表示オフキーＫ１１２及び機種切換えキーＫ１１３を備えており、そのキー映像が液晶表示部１２５に表示される。
【０１０８】
電源キーＫ１１は、ビデオデッキの電源をオンオフする際に操作される。テレビ／ビデオキーＫ１２は、テレビ／ビデオを切換える際に操作される。二重音声キーＫ１３は、音声多重放送を切換える際に操作される。ＢＳキーＫ１４は、衛星放送を受信する際に操作される。入力切換えキーＫ１５は、ビデオデッキの入力を切換える際に操作される。
【０１０９】
チャンネル−／＋キーＫ１６は、チャンネルをアップ又はダウンする際に操作される。巻き戻しキーＫ１７は、ビデオを巻き戻す際に操作される。再生キーＫ１８は、ビデオを再生する際に操作される。早送りキーＫ１９は、ビデオを早送りする際に操作される。一時停止キーＫ１１０は、ビデオを一時停止する際に操作される。停止キーＫ１１１は、ビデオを停止する際に操作される。表示オフキーＫ１１２は、リモコン表示を消す際に操作される。機種切換えキーＫ１１３は、ビデオデッキの１台目／２台目の切換え時に操作される。
【０１１０】
続いて、デジタルＣＳ（Communication Satellite）装置用のリモコンＲＭ２の表示例について説明をする。図８に示すリモコンＲＭ２は、表示装置１０２の液晶表示部１２５における表示画面中のリモコンを模式的に示す映像である。リモコンＲＭ２は、電源キーＫ２１、衛星切換えキーＫ２２、二重音声キーＫ２３、テンキーＫ２４、選局キーＫ２５、チャンネル−／＋キーＫ２６、表示オフキーＫ２７及び機種切換えキーＫ２８を備えており、そのキー映像が液晶表示部１２５に表示される。
【０１１１】
電源キーＫ２１は、デジタルＣＳ、ケーブルテレビの電源をオンオフする際に操作される。衛星切換えキーＫ２２は、衛星の種類を切換える際に操作される。二重音声キーＫ２３は、音声多重放送を切換える際に操作される。テンキーＫ２４は、チャンネル数字を入力する際に操作される。選局キーＫ２５は、このボタンを選択してからチャンネル数字を入力するようになされる。
【０１１２】
チャンネル−／＋キーＫ２６は、デジタルＣＳ、ケーブルテレビのチャンネルをアップ又はダウンする際に操作される。表示オフキーＫ２７は、リモコン表示を消す際に操作される。機種切換えキーＫ２８は、デジタルＣＳ又はケーブルテレビ等の１台目／２台目の切換え時に操作される。
【０１１３】
続いて、ＤＶＤ（Digital Versatile Disc）装置用のリモコンＲＭ３の表示例について説明をする。図９に示すリモコンＲＭ３は、表示装置１０２の液晶表示部１２５における表示画面中のリモコンを模式的に示す映像である。リモコンＲＭ３は、電源キーＫ３１、巻き戻しキーＫ３２、早送りキーＫ３３、前キーＫ３４、次キーＫ３５、停止キーＫ３６、再生キーＫ３７、一時停止キーＫ３８、表示オフキーＫ３９及び機種切換えキーＫ３１０を備えており、そのキー映像が液晶表示部１２５に表示されている。
【０１１４】
電源キーＫ３１は、ＤＶＤ装置の電源をオンオフする際に操作される。巻き戻しキーＫ３２は、ディスクを巻き戻す（２倍速する）際に操作される。早送りキーＫ３３は、ディスクを早送り（２倍速する）際に操作される。前キーＫ３４は、ＤＶＤ再生中にチャプターや映像を戻す際に操作される。
【０１１５】
次キーＫ３５は、ＤＶＤ装置の再生中にチャプターや映像を進める際に操作される。停止キーＫ３６は、ＤＶＤ装置を停止する際に操作される。再生キーＫ３７は、ＤＶＤ装置を再生する際に操作される。一時停止キーＫ３８は、ＤＶＤ装置を一時停止する際に操作される。表示オフキーＫ３９は、リモコン表示を消す際に操作される。機種切換えキーＫ３１０は、ＤＶＤ装置の１台目／２台目の切換え時に操作される。
【０１１６】
続いて、リモコン構築情報処理システム１００における処理例について説明をする。この実施形態ではベースステーション１０１及び表示装置１０２から構成される情報処理装置１０３が準備され、例えば、ベースステーション１０１にＡＶ機器１１０としてＤＶＤ装置を接続し、このＤＶＤ装置に対応したリモコン構築データＤrcを情報配信系IIからダウンロードして遠隔制御をする場合を想定する。このシステム１００では、情報処理系Ｉで情報配信系IIに配信要求する処理（配信要求時の処理）と、情報配信系IIから情報処理系Ｉへリモコン構築データＤrcを配信する処理（リモコン構築情報処理）と、情報処理系Ｉでリモコン構築データＤrcに基づいて例えば、ＤＶＤ装置を遠隔操作する処理（遠隔操作処理）の３つに分けて説明をする。
【０１１７】
［配信要求時の処理例］
この例で情報処理系ＩでＤＶＤ装置に対応したリモコン構築データＤrcを取得する場合は、図１０に示すフローチャートのステップＥ１でリモコン構築情報処理システム１００を利用するかがチェックされる。当該システムを利用するか否かはユーザによって決定される。リモコン構築情報処理システム１００を利用する場合は、ステップＥ２に移行して所定のＷｅｂサイトに発呼して当該ベースステーション１０１とサーバ１０６とを例えば、インターネット１０５を通じて接続する。これにより、リモコン構築データＤrcを配信する情報配信系IIと、ベースステーション１０１を備えた情報処理系Ｉとがインターネット１０５を通して接続される。
【０１１８】
その後、ステップＥ３で周知の認証方式によりユーザＩＤ等の認証処理をする。この認証処理は、例えば、予め情報提供事業者に登録されたユーザを識別する個人情報（登録番号）と、表示装置１０２で入力された個人情報（登録番号）とを比較する。両者の登録番号等が一致する場合は認証ＯＫとなる。両者の登録番号等が一致しない場合は認証ＮＧとなる。認証ＯＫの場合は、ステップＥ４に移行してサーバ１０６に対し当該ＤＶＤ装置に対応したリモコン構築データＤrcのダウンロードを要求する。このとき、ＤＶＤ装置の識別番号を照会するようにするとよい。この照会により、ＤＶＤ装置の機器認証を行うことができる。
【０１１９】
このダウンロード要求によって、ステップＥ５でリモコン構築データＤrcのダウンロードする。ここでダウンロードしたリモコン構築データＤrcは、ステップＥ６でＥＥＰＲＯＭ２０４に格納される。新たなＤＶＤ装置が追加された場合は、そのリモコン構築データＤrcを更にダウンロードしてＥＥＰＲＯＭ２０４に追加記録するようになされる。
【０１２０】
そして、ステップＥ７でユーザは決済処理をする。この際の決済処理は、有料課金サービスを個別に管理するサーバ１０６によって、ユーザの銀行口座から自動的に料金が引き落とされる。なお、ステップＥ１でリモコン構築情報処理システム１００を利用しない場合は、ステップＥ８に移行して他の処理を実行する。これは、リモコン構築情報処理システム１００を利用しない場合も考えられるからである。他の処理を終了した場合及びステップＥ３で認証されなかった場合は、ここでの情報処理を終了する。
【０１２１】
［リモコン構築データ配信時の処理例］
情報配信系IIは、図１１に示すフローチャートのステップＦ１でリモコン構築データＤrcの配信要求を待機する。当該配信要求が有った場合は、ステップＦ２に移行してリモコン構築データＤrcの配信要求を受信する。その後、ステップＦ３に移行して情報配信系IIは、配信要求が有ったＤＶＤ装置のリモコン構築データＤrcをデータベース１０７で検索し抽出する。
【０１２２】
そして、配信要求が有った情報処理系ＩへステップＦ４でリモコン構築データＤrcを配信する。その後、ステップＦ５に移行して情報配信系IIは、当該配信サービスに関して情報配信系IIでは顧客管理処理を実行する。このとき、サーバ１０６は、情報処理系Ｉを対象として提供されるリモコン構築データＤrcの配信サービスを個別に管理するようになされる。例えば、サーバ１０６は、当該配信サービスの決済に対応した有料課金処理をする。また、サーバ１０６は、リモコン構築データＤrcの配信要求からユーザが購入したＤＶＤ装置の機種等が把握される。これは、人気商品の今後の開発や、リモコン構築データＤrcの配信サービスの向上を図るためである。
【０１２３】
その後、ステップＦ６に移行して情報配信系IIは、当該処理を終了するかがチェックされる。このサービスを２４時間続けるのであれば、ステップＦ１に戻って情報配信系IIは、上述した処理を繰り返す。１日の中で時間を区切って当該配信サービスを提供する場合は、サービス終了時間の到来により、情報配信系IIは、当当該サービス処理を終了する。
【０１２４】
［遠隔操作時の処理例］
この処理例は、ベースステーション１０１とＤＶＤ装置とが接続され、遠隔操作画面は、ベースステーション１０１から分離した携帯端末型の表示装置１０２に表示されることを前提にする。これを処理条件にして、情報処理系ＩでＤＶＤ装置を遠隔制御する場合、図１２Ａに示すフローチャートのステップＧ１でＤＶＤ装置を遠隔制御するかがチェックされる。この際のチェックは、ユーザによって行われる。ユーザがＤＶＤ装置を遠隔制御する場合は、ステップＧ２に移行して液晶表示部１２５に図６に示した操作画面を表示する。このとき、各種キー映像は、動画表示領域２３を除く上部表示部２１及び下部表示部２２に表示される。
【０１２５】
そして、ユーザは、リモコンキーＫ７をタッチして操作画面を選択する。この選択によって、例えば、ステップＧ３でＥＥＰＲＯＭ２０４からリモコン構築データＤrcが読み出され、ベースステーション１０１から表示装置１０２へリモコン構築データＤrcが無線転送される。リモコン構築データＤrcは、ＥＥＰＲＯＭ３０４へ格納される。このＥＥＰＲＯＭ３０４からリモコン構築データＤrcが読み出され、ステップＧ４で液晶表示部１２５の動画表示領域２３には、例えば、その右端に遠隔操作画面の一例となるリモコンを模式的に表す映像が表示される。この例は、図９に示したリモコンＲＭ３を模式的に表す映像が表示される。
【０１２６】
その後、ステップＧ５に移行して表示装置１０２は、リモコン操作入力が待機される。このとき、リモコンの操作画面上でタッチパネル３５１が操作され、ユーザは、遠隔操作データＤ２３を操作入力するようになされる。従って、ステップＧ６でリモコン操作入力が検出されると、この遠隔操作データＤ２３がＥＥＰＲＯＭ２０４から読み出される。そして、ステップＧ７に移行して遠隔操作データＤ２３が表示装置１０２からベースステーション１０１へ出力するようになされる。
【０１２７】
一方、ベースステーション１０１は、図１２Ｂに示すフローチャートのステップＨ１で表示装置１０２からの遠隔操作データＤ２３の入力が待機される。表示装置１０２からの遠隔操作データＤ２３の入力が有ると、ベースステーション１０１は、ステップＨ２に移行して表示装置１０２から受信した遠隔操作データＤ２３に基づいてＤＶＤ装置を遠隔制御するようになされる。このときから、ＤＶＤ装置が表示装置１０２によってコントロールできるようになる。
【０１２８】
例えば、図９に示したように、リモコンＲＭ３で電源キーＫ３１をＯＮすると、ＤＶＤ装置の電源が投入される。ＤＶＤ装置を再生する場合は、再生キーＫ３７を操作するようになされる。また、ディスクを早送り（２倍速する）する場合は、早送りキーＫ３３が操作される。ＤＶＤ装置の再生中にチャプター処理をする場合や映像を戻す場合は、前キーＫ３４が操作される。
【０１２９】
また、ディスクを巻き戻す（２倍速する）場合は、巻き戻しキーＫ３２が操作される。ＤＶＤ装置を一時停止する場合は、一時停止キーＫ３８が操作される。ＤＶＤ装置を再生中にチャプター処理をする場合や映像を進める場合は、次キーＫ３５が操作される。また、ＤＶＤ装置を停止する場合は、停止キーＫ３６が操作される。リモコン表示を消す場合は、表示オフキーＫ３９が操作される。
【０１３０】
なお、図１２ＡのフローチャートのステップＧ１で遠隔制御を実行しない場合は、ステップＧ８に移行して他の処理を実行する。これはチャットや電子番組ガイド等の情報処理を実行する場合もあるからである。従って、他の処理を終了した場合及びステップＧ７で遠隔操作データＤ２３をベースステーション１０１に転送した場合は、ステップＧ９に移行する。ステップＧ９ではＣＰＵ３０１によって当該情報処理の終了判断がなされる。情報処理の終了判断は、電源オフ情報などを検出して実行する。電源オフ情報が検出されない場合はステップＧ１に戻って上述した処理が継続される。
【０１３１】
このように実施形態としての表示装置１０２及びその制御方法によれば、ＤＶＤ装置等のＡＶ機器１１０からの映像情報をベースステーション１０１を介して受信し、当該映像情報に基づいて映像表示をする場合に、キー入力部３２９やタッチパネル３５１等は、遠隔操作画面を表示するための表示情報、及び、ＡＶ機器１１０等に関連したリモコン構築データＤrcの配信をデータベース１０７へ要求するためのユーザの指示を入力するようになされる。受信処理部１２２Ｒは、キー入力部３２９等によって配信要求されたリモコン構築データＤrcをデータベース１０７から受信する。ＥＥＰＲＯＭ３０４は受信処理部１２２Ｒによって受信されたリモコン構築データＤrcを格納するようになる。
【０１３２】
従って、データベース１０７へ配信要求して得たリモコン構築データＤrc及び遠隔操作画面上の操作に対応して生成された遠隔操作データＤ２３に基づいて遠隔制御されるＤＶＤ装置から映像情報を受信して映像を表示できるようになる。これを前提にして、送信処理部１２２Ｓは、ＡＶ機器１１０等を遠隔的に操作するために、遠隔操作データＤ２３をベースステーション１０１に送信する。受信処理部１２２Ｒは、遠隔操作データＤ２３によって遠隔制御されるＡＶ機器１１０等からベースステーション１０１を介して映像情報を受信する。液晶表示部１２５は、受信処理部１２２Ｒによって受信された映像情報を表示するようになる。これにより、新たに追加されたＤＶＤ装置に対しても遠隔操作画面上で操作入力される遠隔操作データＤ２３に基づいて遠隔制御されるＤＶＤ装置から映像情報を受信して映像を表示できるようになる。
【０１３３】
このことで、ベースステーション１０１及び表示装置１０２から構成される情報処理装置１０３で家庭内等の複数台のＤＶＤ装置を集中遠隔操作可能なリモコンシステムを構築することができる。このようなリモコン配信サービスシステムを実現することで、家庭内のＡＶ機器等１１０が相互接続／コントローラブルになる。インターネット環境をうまく活用した、家庭内での機器間シナジーリモートコントロールが簡単に実現できるようになる。
【産業上の利用可能性】
【０１３４】
この発明は、 デジタルＣＳ／ＢＳチューナーや、ＤＶＤプレーヤ、ＣＤ／ＭＤプレーヤ等のオーディオビデオ機器を集中遠隔操作可能な多機能リモコンサービスシステム等に適用して極めて好適である。
【図面の簡単な説明】
【０１３５】
【図１】本発明に係る実施形態としての映像表示装置が適用されるリモコン構築情報処理システム１００の構成例を示す図である。
【図２】（Ａ）〜（Ｃ）は、リモコン構築データの配信要求例、その配信例及び遠隔操作例を示すフローチャートである。
【図３】リモコン構築情報処理システム１００に適用されるテレビ受信システムの構成例を示す図である。
【図４】ベースステーション１０１の内部構成例を示すブロック図である。
【図５】表示装置１０２の内部構成例を示すブロック図である。
【図６】液晶表示部１２５におけるリモコンＲＭの表示例を示す図である。
【図７】ビデオ装置用のリモコンＲＭ１の表示例を示す図である。
【図８】デジタルＣＳ装置用のリモコンＲＭ２の表示例を示す図である。
【図９】ＤＶＤ装置用のリモコンＲＭ３の表示例を示す図である。
【図１０】リモコン構築情報処理システム１００における配信要求時の処理例を示すフローチャートである。
【図１１】リモコン構築データ配信時の処理例を示すフローチャートである。
【図１２】（Ａ）及び（Ｂ）は遠隔操作時の処理例を示すフローチャートである。
【符号の説明】
【０１３６】
１００・・・リモコンコマンド配信処理システム、１０１・・・ベースステーション（表示制御装置）、１０２・・・表示装置（映像表示装置）、１０３・・・情報処理装置、１０５・・・インターネット（通信手段）、１０６・・・サーバ（情報配信装置）、１０７・・・データベース、１１０・・・ＡＶ機器等（ＡＶ機器１１０等）、１１７Ｓ・・・送信処理部（配信部）、１１７Ｒ・・・受信処理部（受信部）、１２２Ｓ・・・送信処理部（配信部）、１２２Ｒ・・・受信処理部（受信部）、１２５・・・液晶表示部（表示部）、２００，３００・・・制御部（遠隔制御部）、２０２，３０２・・・ＲＯＭ（記録媒体）、２０４，３０４・・・ＥＥＰＲＯＭ（記憶部）、２１０・・・通信モデム（映像受信部）、３２９・・・キー入力部（入力部）、３５１・・・タッチパネル（入力部）
【図１】
2006345543.tif 000003
【図２】
2006345543.tif 000004
【図３】
2006345543.tif 000005
【図４】
2006345543.tif 000006
【図５】
2006345543.tif 000007
【図６】
2006345543.tif 000008
【図７】
2006345543.tif 000009
【図８】
2006345543.tif 000010
【図９】
2006345543.tif 000011
【図１０】
2006345543.tif 000012
【図１１】
2006345543.tif 000013
【図１２】
2006345543.tif 000014